(57)【要約】【課題】  装置の小型軽量化を図り、作業環境、電力消費等を改善することにより、比較的小規模な事業所等でも用いることのできるブラスト装置及びそれを用いたブラスト方法を提供する。【解決手段】  管路２は分配弁７５（分岐点Ａ）に接続されている。分配弁７５で分岐した一方の管路４では、圧縮空気は、エアガン４０から流出する際にエジェクタ作用により生ずる負圧により吸引した研磨材Ｐを加速して、ワークＷの主表面に噴射・衝突した後、ホッパ３０に回収・再利用させる（管路８）ための圧送気体として流通する。分配弁７５で分岐した他方の管路５では、圧縮空気は、排出パイプ５０を通過する際にエジェクタ７６に生ずる負圧により容器２０内を大気圧以下に維持し、ワークＷの主表面を研掃処理後に容器２０内に浮遊する研磨材Ｐを主表面から剥離除去された浮遊塵埃とともに排出パイプ５０から容器２０外に吸引・排出させ（管路６）、収容袋６０に収容する（管路７）ための吸引気体として流通する。【選択図】        図５
2005066724.tif 000002
【特許請求の範囲】
【請求項１】
研磨材等の研掃体に所定のエネルギーを付与するための研掃体駆動源と、エネルギー付与された研掃体を密閉状の容器内において被処理物の主表面に噴射させ衝突させるための噴射部と、噴射された研掃体を前記容器外に吸引し排出するための排出部とを有し、前記容器内で被処理物の主表面を研掃処理するブラスト装置であって、
前記研掃体駆動源で発生した流体が２つの系統に分岐され、
そのうちの一方の系統では、前記噴射部から流出する際に生ずる負圧により吸引した研掃体を加速して、被処理物の主表面に噴射・衝突させるための圧送流体として流通し、
他方の系統では、前記排出部を通過する際に生ずる負圧により前記容器内を大気圧以下に維持し、被処理物の主表面を研掃処理後に前記容器内に浮遊する研掃体を主表面から剥離除去された浮遊塵埃とともに前記排出部から前記容器外に吸引・排出させるための吸引流体として流通することを特徴とするブラスト装置。
【請求項２】
研掃体としての粉粒体を貯留するための貯留部と、粉粒体に所定のエネルギーを付与するための研掃体駆動源としての気体圧発生源と、エネルギー付与された粉粒体を密閉状の容器内において被処理物の主表面に噴射させ衝突させるための噴射部と、噴射された粉粒体を前記容器外に吸引し排出するための排出部と、その排出部から排出された粉粒体を収容するための収容部とを有し、前記容器内で被処理物の主表面を研掃処理するブラスト装置であって、
前記気体圧発生源で発生した気体が２つの系統に分岐され、
そのうちの一方の系統では、前記噴射部から流出する際に生ずる負圧により吸引した粉粒体を加速して、被処理物の主表面に噴射・衝突させた後前記貯留部に回収・再利用させるための圧送気体として流通し、
他方の系統では、前記排出部を通過する際に生ずる負圧により前記容器内を大気圧以下に維持し、被処理物の主表面を研掃処理後に前記容器内に浮遊する粉粒体を主表面から剥離除去された浮遊塵埃とともに前記排出部から前記容器外に吸引・排出させ、前記収容部に収容するための吸引気体として流通することを特徴とするブラスト装置。
【請求項３】
前記容器は、角筒状を呈し、隣接する２つの側面に作業者が左右の腕又は手を挿入するための作業孔をそれぞれ有する請求項１又は２に記載のブラスト装置。
【請求項４】
前記作業孔の少なくともいずれかは、その属する側面の左右幅方向中央位置よりも他の隣接する側面から遠ざかる方向に偏って位置している請求項３に記載のブラスト装置。
【請求項５】
前記作業孔の少なくともいずれかに隣接して、作業者の腕又は手によってＯＮ・ＯＦＦ操作される作動スイッチが設置されている請求項３又は４に記載のブラスト装置。
【請求項６】
前記作動スイッチは、作業者の腕又は手が前記作業孔から前記容器内に挿入されたときにＯＮ操作されて、前記研掃体駆動源と前記噴射部と前記排出部とを同時に作動させる請求項５に記載のブラスト装置。
【請求項７】
前記貯留部には、その貯留部に堆積する粉粒体のブリッジ現象を防止するために、前記気体圧発生源で発生した気体を導入して気泡を発生させる気泡発生部が設けられている請求項２に記載のブラスト装置。
【請求項８】
前記気泡発生部は、前記２つの系統の分岐点よりも上流側で前記気体圧発生源に接続されている請求項７に記載のブラスト装置。
【請求項９】
請求項１ないし６のいずれか１項に記載されたブラスト装置を用いて、被処理物の主表面を研掃処理するためのブラスト方法であって、
前記研掃体駆動源で発生した流体によって加速された研掃体が、前記容器内において前記噴射部から被処理物の主表面に噴射されて衝突し主表面を剥離除去する一方、
前記研掃体駆動源で発生した流体によって前記容器内が大気圧以下に維持され、被処理物の主表面を研掃処理後に前記容器内に浮遊する研掃体が、主表面から剥離除去された浮遊塵埃とともに前記排出部から前記容器外に排出されることを特徴とするブラスト方法。
【請求項１０】
請求項２ないし８のいずれか１項に記載されたブラスト装置を用いて、被処理物の主表面を研掃処理するためのブラスト方法であって、
前記気体圧発生源で発生した気体によって加速された粉粒体が、前記容器内において前記噴射部から被処理物の主表面に噴射されて衝突し主表面を剥離除去した後前記貯留部に回収され再利用される一方、
前記気体圧発生源で発生した気体によって前記容器内が大気圧以下に維持され、被処理物の主表面を研掃処理後に前記容器内に浮遊する粉粒体が、主表面から剥離除去された浮遊塵埃とともに前記排出部から前記容器外に排出され、前記収容部に収容されることを特徴とするブラスト方法。
【発明の詳細な説明】
【技術分野】
【０００１】
本発明は、ガラス彫刻のためのサンドブラスト処理等に用いられるブラスト装置及びブラスト方法に関する。
【背景技術】
【０００２】
サンドブラスト装置に代表されるブラスト装置（研掃装置ともいう）は、従来より、鋳造品や金型の表面清掃・バリ取り、熱処理品のスケール除去（例えば鍛造品の黒皮除去）等に広く用いられている。また、近年では、導線の絶縁被膜除去、自動車修理工場・機械部品製造工場等での錆落しや塗膜除去、歯科技工での義歯表面の研磨、印房での印面の彫刻・研磨、ガラス工房でのガラス表面の彫刻・研磨、障害者施設でのこれらの諸作業等にも使用される場合がある。
【０００３】
そして、いずれのブラスト装置でも、特許文献１〜４に示すような基本的構成を有している。すなわち、エアコンプレッサ（気体圧発生源）で発生した空気によって加速された研磨材等（粉粒体）が、密閉状の容器内においてエアガン（噴射部）からワーク表面（被処理物の主表面）に噴射されて衝突し表面を剥離除去する。また、ダストコレクタ（集塵機）によって容器内が大気圧以下に維持され、ワーク表面を研掃処理後に容器内に浮遊する研磨材等が、表面から剥離除去された浮遊塵埃とともに排気ダクト（排出部）から容器外に排出される。
【０００４】
【特許文献１】実公昭６３−１５０１１号公報
【特許文献２】特公平５−１８３号公報
【特許文献３】実公平８−７７７１号公報
【特許文献４】実用新案登録第２５９７３５３号公報
【０００５】
このように、特許文献１〜４に示すブラスト装置では、研磨材等にエネルギーを与えて加速するためのエアコンプレッサと、容器内を大気圧以下に維持するためのダストコレクタとをともに備える必要がある。このため、ブラスト装置が大型化して大規模工場等にしか設置できなくなるおそれがある。また、研掃処理の際には、エアコンプレッサとダストコレクタとを同時に稼動させなければならない。このため、騒音・振動等の作業環境悪化に伴う加工精度の低下、電力消費量の増大による加工コストの上昇等も加わることとなり、小規模事業所等においてこのようなブラスト装置を導入するには困難が伴う。特に、例えば、このようなブラスト装置を用いて一般家庭でコップ等のガラス表面に彫刻・研磨を実施しようとしても、上記した設置場所、作業環境、電力消費等の条件を満足できず、趣味のガラス工芸の普及を妨げる一因となっていた。
【発明の開示】
【発明が解決しようとする課題】
【０００６】
本発明の課題は、装置の小型軽量化を図り、作業環境、電力消費等を改善することにより、比較的小規模な事業所等でも用いることのできるブラスト装置及びそれを用いたブラスト方法を提供することにある。
【課題を解決するための手段及び発明の効果】
【０００７】
上記課題を解決するために本発明に係るブラスト装置は、
研磨材等の研掃体に所定のエネルギーを付与するための研掃体駆動源と、エネルギー付与された研掃体を密閉状の容器内において被処理物の主表面に噴射させ衝突させるための噴射部と、噴射された研掃体を前記容器外に吸引し排出するための排出部とを有し、前記容器内で被処理物の主表面を研掃処理するブラスト装置であって、
前記研掃体駆動源で発生した流体が２つの系統に分岐され、
そのうちの一方の系統では、前記噴射部から流出する際に生ずる負圧により吸引した研掃体を加速して、被処理物の主表面に噴射・衝突させるための圧送流体として流通し、
他方の系統では、前記排出部を通過する際に生ずる負圧により前記容器内を大気圧以下に維持し、被処理物の主表面を研掃処理後に前記容器内に浮遊する研掃体を主表面から剥離除去された浮遊塵埃とともに前記排出部から前記容器外に吸引・排出させるための吸引流体として流通することを特徴とする。
【０００８】
この場合、上記課題を解決するために本発明に係るブラスト方法は、
前記研掃体駆動源で発生した流体によって加速された研掃体が、前記容器内において前記噴射部から被処理物の主表面に噴射されて衝突し主表面を剥離除去する一方、
前記研掃体駆動源で発生した流体によって前記容器内が大気圧以下に維持され、被処理物の主表面を研掃処理後に前記容器内に浮遊する研掃体が、主表面から剥離除去された浮遊塵埃とともに前記排出部から前記容器外に排出されることを最も主要な特徴とする。
【０００９】
このようなブラスト装置（又はブラスト方法）によれば、研掃体駆動源が、研磨材等の研掃体にエネルギーを与えて加速する機能と、容器内を大気圧以下に維持する機能とを備えているので、集塵機を要せず大幅な小型軽量化が可能となる。これによって、設置面積を小さくすることができ、また、騒音・振動等の軽減による作業環境の改善と加工精度の向上、節電による加工コストの抑制等を図ることができる。したがって、比較的小規模な事業所や一般家庭でも用いることができるようになり、ブラスト装置（又はブラスト方法）の用途を拡大することができる。
【００１０】
さらに、噴射部からの研掃体の噴射と容器からの浮遊研掃体等の吸引とを、１個の作動スイッチで容易に同時ＯＮ・ＯＦＦ操作（開始・停止）できるので、従来のように噴射部停止時に集塵機が空運転するような無駄がなくなる。しかも、研掃体駆動源の吐出圧力又は２系統の分岐点より上流側に設ける圧力調整手段（レギュレータ）の調整圧力を調節することによって、噴射部からの研掃体の噴射圧力と容器からの浮遊研掃体等の吸引圧力とを同時に比例調整できる。したがって、容器内の圧力を常時大気圧以下に保持しやすくなり、浮遊研掃体や浮遊塵埃等が容器外へ吹き出すことによる環境汚染を防止できる。
【００１１】
なお、研掃体を加速する流体に空気等の気体を用いた場合には、研掃体駆動源として圧縮機、送風機（ファン、ブロワ）等が用いられ（ドライ方式）、水等の液体を用いた場合には、研掃体駆動源としてポンプ等が用いられる（ウェット方式）。ドライ方式では、研掃体として、金剛砂、研磨材等の粉粒体（サンドブラスト装置）、先鋭な稜角を有しないショット（ショットブラスト装置）、先鋭な稜角を有するグリッド（グリッドブラスト装置）等が使用される。一方、ウェット方式では、粉粒体に水を加えてスラリー状等にした研掃体が使用される。
【００１２】
このようなブラスト装置の容器が、角筒状を呈し、隣接する２つの側面に作業者が左右の腕又は手を挿入するための作業孔をそれぞれ有することが望ましい。これによって、作業者は左右の腕又は手を平面視で交差状に挿入して研掃処理作業を行えばよいので、容器の横幅を作業者の肩幅よりも小さくして小型化を図ることができる。
【００１３】
このとき、作業孔の少なくともいずれかが、その属する側面の左右幅方向中央位置よりも他の隣接する側面から遠ざかる方向に偏って（オフセットして；齟齬して）位置している場合には、平面視で容器の横幅又は奥行をさらに縮小することができ、一層小型コンパクトにすることができる。
【００１４】
また、作業孔の少なくともいずれかに隣接して、作業者の腕又は手によってＯＮ・ＯＦＦ操作される作動スイッチが設置されている場合には、作業孔から腕又は手を挿入して作業姿勢をとれば容易に研掃処理作業を開始・停止できるので、ペダルを踏んだりするような付加的な操作を要しない。
【００１５】
さらに、作動スイッチが、作業者の腕又は手が作業孔から容器内に挿入されたときにＯＮ操作されて、研掃体駆動源と噴射部と排出部とを同時に作動させるように構成できる。複数の作動スイッチを設けなくともすむため装置が簡素化されるとともに、研掃体駆動源と噴射部と排出部とが作動タイミングのずれを生じないため、例えば噴射部の作動時（噴射開始時）に浮遊研掃体や浮遊塵埃等が容器外へ吹き出すことを防止できる。
【００１６】
また、上記課題を解決するために本発明に係るブラスト装置の具体的態様は、
研掃体としての粉粒体を貯留するための貯留部と、粉粒体に所定のエネルギーを付与するための研掃体駆動源としての気体圧発生源と、エネルギー付与された粉粒体を密閉状の容器内において被処理物の主表面に噴射させ衝突させるための噴射部と、噴射された粉粒体を前記容器外に吸引し排出するための排出部と、その排出部から排出された粉粒体を収容するための収容部とを有し、前記容器内で被処理物の主表面を研掃処理するブラスト装置であって、
前記気体圧発生源で発生した気体が２つの系統に分岐され、
そのうちの一方の系統では、前記噴射部から流出する際に生ずる負圧により吸引した粉粒体を加速して、被処理物の主表面に噴射・衝突させた後前記貯留部に回収・再利用させるための圧送気体として流通し、
他方の系統では、前記排出部を通過する際に生ずる負圧により前記容器内を大気圧以下に維持し、被処理物の主表面を研掃処理後に前記容器内に浮遊する粉粒体を主表面から剥離除去された浮遊塵埃とともに前記排出部から前記容器外に吸引・排出させ、前記収容部に収容するための吸引気体として流通することを特徴とする。
【００１７】
この場合に、上記課題を解決するために本発明に係るブラスト方法の具体的態様は、
前記気体圧発生源で発生した気体によって加速された粉粒体が、前記容器内において前記噴射部から被処理物の主表面に噴射されて衝突し主表面を剥離除去した後前記貯留部に回収され再利用される一方、
前記気体圧発生源で発生した気体によって前記容器内が大気圧以下に維持され、被処理物の主表面を研掃処理後に前記容器内に浮遊する粉粒体が、主表面から剥離除去された浮遊塵埃とともに前記排出部から前記容器外に排出され、前記収容部に収容されることを最も主要な特徴とする。
【００１８】
このようなブラスト装置（又はブラスト方法）においても、集塵機を要せず大幅な小型軽量化が可能となるので、設置面積の縮小、騒音・振動等の軽減による作業環境の改善と加工精度の向上、節電による加工コストの抑制、用途の拡大等を図ることができる。また、上記と同様にして集塵機の空運転をなくし、かつ、噴射部からの粉粒体の噴射圧力と容器からの浮遊粉粒体等の吸引圧力とを同時に比例調整できるため、容器内の圧力を常時大気圧以下に保持しやすくなり、浮遊粉粒体や浮遊塵埃等が容器外へ吹き出すことによる環境汚染を防止できる。さらに、エアコンプレッサ等の気体圧発生源で発生した空気等の気体のみによって、（１）噴射部からの貯留粉粒体の噴射、（２）粉粒体の貯留部での循環使用（回収・再利用）、（３）容器内の大気圧以下への維持、（４）排出部からの容器内浮遊粉粒体等の吸引、（５）排出粉粒体等の収容部への捕捉（収容）、がすべて達成されるので、研掃処理が一層簡素化され、小型コンパクト化が促進される。
【００１９】
このようなブラスト装置の貯留部には、貯留部に堆積する粉粒体のブリッジ現象を防止するために、気体圧発生源で発生した気体を導入して気泡を発生させる気泡発生部を設けることが望ましい。気泡発生部により、例えば堆積粉粒体の吸引部付近等で気泡を発生させる（バブリングする）ことによって、粉粒体のブリッジを崩壊させて貯留部での詰まりを防止し、粉粒体の循環使用（回収・再利用）をスムーズに行わせることができる。
【００２０】
そして、この気泡発生部が、２つの系統の分岐点よりも上流側で気体圧発生源に接続されている場合には、噴射部からの粉粒体の噴射がＯＦＦ操作（一時停止）されているときでも、気体圧発生源が稼動している限り気泡発生部は作動（バブリング）状態に保持される。これによって、噴射部からの粉粒体の噴射がＯＮ操作（再開）されたときに、貯留部でのブリッジ現象の発生を確実に防止することができる。
【発明を実施するための最良の形態】
【００２１】
以下、本発明の実施の形態につき図面に示す実施例を参照して説明する。図１は、本発明に係るブラスト装置（研掃装置）の一実施例としてのサンドブラスト装置の斜視図である。また、図２はその正面図、図３はその側面図、図４はその平面図、図５はその配管図をそれぞれ示す。図５に示すように、サンドブラスト装置１００は、研磨材Ｐ（粉粒体；研掃体；ブラスト体）に所定のエネルギーを付与するためのエアコンプレッサ１０（気体圧発生源；研掃体駆動源）と、内部でガラスコップ等のワークＷ（被処理物）の主表面を研掃処理するための密閉状の容器２０とを備えている。
【００２２】
容器２０は、図２に示すように、有底で縦型四角筒状（断面矩形状）の本体部２１と、本体部２１を上方から覆って密閉するガラス扉２２とから構成されている。本体部２１は、頂部の手前側（作業者側）がやや低く奥側（背面側）がやや高くなるように傾斜がつけられ、その内部にホッパ３０（貯留部）とエアガン４０（噴射部）とを有する。そして、図１に示すように、容器２０の外部には、排出パイプ５０（排出部）と収容袋６０（収容部）とを有している。
【００２３】
図２において、ホッパ３０は、研磨材Ｐを貯留するために、本体部２１の下部において逆四角錐状に形成され、上部には落下してきたごみ等をホッパ３０に混入しないように受け止めるためのパンチングメタル３１が設けられている。ホッパ３０の下部には吸引部３３（後述する管路８の開口部）が開口し、エアコンプレッサ１０（図５参照）で発生した圧縮空気がエアガン４０から流出する際にエジェクタ作用により生ずる負圧により研磨材Ｐを吸引する。吸引部３３の近傍には気泡発生部３２（後述する管路３の開口部）が開口し、エアコンプレッサ１０で発生した圧縮空気が供給されるように接続され、吸引部３３から吸引される研磨材Ｐにブリッジ現象が発生しないようにバブリング（気泡発生）が行われる。なお、圧縮空気によってエネルギー付与され加速された研磨材Ｐは、密閉状の容器２０内においてエアガン４０からワークＷの主表面に噴射され衝突することにより、主表面を研掃処理（剥離除去）する。
【００２４】
図１において、排出パイプ５０は、ワークＷの主表面を研掃処理して容器２０内に浮遊する研磨材Ｐを主表面から剥離除去された浮遊塵埃とともに、後述するように大気圧以下に維持される容器２０から外に吸引・排出させる。収容袋６０は、容器２０内に浮遊する研磨材Ｐや浮遊塵埃の中で、排出パイプ５０から吸引・排出されたものを収容し、空気が流通できるように、目の細かい布で構成されている。
【００２５】
図４に戻り、容器２０（本体部２１）には、隣接する２つの側面２３，２４（例えば手前側側面と右側側面）に、作業者が左右の腕を挿入するための作業用ゴム手袋２３ｂ，２４ｂが付設された円形の作業孔２３ａ，２４ａがそれぞれほぼ同じ高さに形成されている。これによって、作業者は左右の腕を平面視で交差状に（例えばほぼＬ字状に）挿入して研掃処理作業を行うことになり、容器２０（本体部２１）の作業者対向側側面（正面）の横幅Ｗ1を作業者の肩幅ＷSよりも小さくすることができる。
【００２６】
また、一方の作業孔２３ａの中心位置Ｌａは、側面２３の左右幅方向中央位置Ｌよりも隣接する側面２４から遠ざかる方向に偏って（すなわち、オフセットして又は齟齬して）位置している。これによって、容器２０（本体部２１）の横幅Ｗ1をさらに縮小することができる。さらに、本実施例では、他方の作業孔２４ａの中心位置Ｌａは、側面２４の左右幅方向中央位置Ｌよりも隣接する側面２３に近づく方向に偏って（すなわち、オフセットして又は齟齬して）位置している。なお、２６は、容器２０（本体部２１）の背面側の側面２５の左右幅方向中央位置Ｌに中心位置Ｌａを一致させて配置された空気孔である。この空気孔２６は容器２０の内外の圧力差を調整するために設けられ、空気の流通を許容しつつ浮遊する研磨材Ｐや浮遊塵埃を捕捉して容器２０からの吹き出しを防止するフィルタ２６ａが付設されている。
【００２７】
図５の配管図において、エアコンプレッサ１０で発生した圧縮空気は、管路１（第一流路）を通り、レギュレータ７１（圧力調整手段）、圧力計７２、分配弁７３を含む調整部７０に供給される。分配弁７３で分岐した一方の管路２（第二流路）は、作動スイッチ７４ａを有する２ポート２位置型の切換弁７４に接続されている。他方の管路３（第三流路）は、ホッパ３０下部の吸引部３３近傍に開口する気泡発生部３２に接続されている。気泡発生部３２でのバブリングによって研磨材Ｐのブリッジ現象（ホッパ３０での詰まり）が防止され、研磨材Ｐの循環使用（回収・再利用）をスムーズに行うことができる。
【００２８】
図１に示すように、他方の作業孔２４ａの近傍に（下方に隣接して）、作業者の右腕によってＯＮ・ＯＦＦ操作される作動スイッチ７４ａが設置されている。これによって、作業孔２４ａから右腕を挿入して作業姿勢をとれば容易に研掃処理作業を開始・停止できる。
【００２９】
作動スイッチ７４ａは、作業者の右腕が作業孔２４ａから容器２０内に挿入されたときにＯＮ操作され、切換弁７４を連通位置（図５の位置）に移動させることにより、エアコンプレッサ１０とエアガン４０と排出パイプ５０とを同時に作動させるように構成されている。これによって、エアコンプレッサ１０とエアガン４０と排出パイプ５０とが作動タイミングのずれを生じないため、例えばエアガン４０の作動時（噴射開始時）に浮遊研磨材Ｐや浮遊塵埃等が容器２０外へ吹き出すことがない。
【００３０】
図５に戻り、管路２はさらに分配弁７５（分岐点Ａ）に接続されている。分配弁７５で分岐した一方の管路４（第四流路）では、圧縮空気は、エアガン４０から流出する際にエジェクタ作用により生ずる負圧により吸引した研磨材Ｐを加速して、ワークＷの主表面に噴射・衝突した後、ホッパ３０に回収・再利用させる（管路８（第八流路））ための圧送気体として流通する。分配弁７５で分岐した他方の管路５（第五流路）では、圧縮空気は、排出パイプ５０を通過する際にエジェクタ７６に生ずる負圧により容器２０内を大気圧以下に維持し、ワークＷの主表面を研掃処理後に容器２０内に浮遊する研磨材Ｐを主表面から剥離除去された浮遊塵埃とともに排出パイプ５０から容器２０外に吸引・排出させ（管路６（第六流路））、収容袋６０に収容する（管路７（第七流路））ための吸引気体として流通する。
【００３１】
なお、エアガン４０からの研磨材Ｐの噴射圧力と容器２０からの浮遊研磨材Ｐ等の吸引圧力とは、調整部７０により同時に比例調整できる。これによって、容器２０内の圧力を常時大気圧以下に保持しやすくなり、浮遊研磨材Ｐや浮遊塵埃等が容器２０外へ吹き出すことを防止できる。
【００３２】
以上で説明したサンドブラスト装置１００の作動について概説する。
（１）エアコンプレッサ１０を稼動させ調整部７０で圧力調整を行うと、エアコンプレッサ１０で発生した圧縮空気は管路１及び３を通り、ホッパ３０に開口する気泡発生部３２が吸引部３３の近傍の研磨材Ｐをバブリングする（図５）。
【００３３】
（２）次に、作業者が作業孔２４ａから右腕を挿入すると（図１）、作動スイッチ７４ａがＯＮ操作され、切換弁７４が連通位置（図５の位置）に移動し、エアガン４０と排出パイプ５０とが同時に作動を開始する（図５）。作業者は、作業孔２３ａ，２４ａから左右の腕を挿入し（図１）、ワークＷとエアガン４０とをそれぞれ保持しながら、研掃処理作業を行う（図４）。
【００３４】
（３）エアコンプレッサ１０で発生した圧縮空気の一部は、管路２及び４を通りエアガン４０から流出する際にエジェクタ作用により生ずる負圧により管路８（吸引部３３）から吸引した研磨材Ｐを加速して、ワークＷの主表面に噴射・衝突する。その後、研磨材Ｐはホッパ３０に回収され再利用される。
【００３５】
（４）圧縮空気の残部は、管路２及び５を通り排出パイプ５０を通過する際にエジェクタ７６に生ずる負圧により容器２０内を大気圧以下に維持する。さらに、ワークＷの主表面を研掃処理後に容器２０内に浮遊する研磨材Ｐを主表面から剥離除去された浮遊塵埃とともに排出パイプ５０（管路６）から容器２０外に吸引・排出させ、収容袋６０に収容する（管路７）。なお、収容袋６０に収容された研磨材Ｐは、ホッパ３０の研磨材Ｐとともに再利用してもよいし、あるいは収容袋６０に収容された浮遊塵埃とともに廃棄処分してもよい。
【００３６】
このように、エアコンプレッサ１０で発生した圧縮空気によって、（Ａ）エアガン４０からの貯留研磨材Ｐの噴射、（Ｂ）研磨材Ｐのホッパ３０での循環使用（回収・再利用）、（Ｃ）容器２０内の大気圧以下への維持、（Ｄ）排出パイプ５０からの容器２０内浮遊研磨材Ｐ等の吸引、（Ｅ）排出研磨材Ｐ等の収容袋６０への捕捉（収容）、がすべて達成される。
【００３７】
次に、図６は図４の容器２０の変形例を示す。図６（ａ）では、他方の作業孔２４ａ’の中心位置Ｌａも、側面２４の左右幅方向中央位置Ｌよりも隣接する側面２３から遠ざかる方向に偏って（すなわち、オフセットして又は齟齬して）位置している。これによって、容器２０の奥行Ｗ2も短縮することができ、横幅Ｗ1よりも小に形成できる場合がある。なお、図６（ａ）において図４と共通する機能を有する部分には同一符号を付して説明を省略する。
【００３８】
図６（ｂ）では、対向する二対の辺がそれぞれ平行な断面五角形状の容器１２０において、平行でない残りの一辺を含む側面１２４とそれに隣接する側面１２３とに作業孔１２４ａ，１２３ａがそれぞれ形成されている。一方の作業孔１２３ａの中心位置Ｌａは、側面１２３の左右幅方向中央位置Ｌよりも隣接する側面１２４から遠ざかる方向に偏って（すなわち、オフセットして又は齟齬して）位置している。他方の作業孔１２４ａの中心位置Ｌａも、側面１２４の左右幅方向中央位置Ｌよりも隣接する側面１２３から遠ざかる方向に偏って（すなわち、オフセットして又は齟齬して）位置している。
【００３９】
図６（ｃ）では、断面直角二等辺三角形状の容器２２０の隣接する２つの側面２２３，２２４に作業孔２２３ａ，２２４ａがそれぞれ形成されている。一方の作業孔２２３ａの中心位置Ｌａは、側面２２３の左右幅方向中央位置Ｌよりも隣接する側面２２４から遠ざかる方向に偏って（すなわち、オフセットして又は齟齬して）位置している。他方の作業孔２２４ａの中心位置Ｌａも、側面２２４の左右幅方向中央位置Ｌよりも隣接する側面２２３から遠ざかる方向に偏って（すなわち、オフセットして又は齟齬して）位置している。
【００４０】
本実施形態は、サンドブラスト装置を例に説明したが、その他のブラスト装置にも本発明を適用できることはもちろんである。また、実施形態では作動スイッチ７４ａが管路２の切換弁７４を直接切り換える方式を用いたが、作動スイッチ７４ａのＯＮ・ＯＦＦ操作によって電気的に切換弁７４等を切り換えてもよい。
【図面の簡単な説明】
【００４１】
【図１】本発明に係るブラスト装置の一実施例としてのサンドブラスト装置を示す斜視説明図。
【図２】図１の要部の正面図。
【図３】図１の要部の側面図。
【図４】図１の要部の平面図。
【図５】図１の配管図。
【図６】図４の変形例を示す説明図。
【符号の説明】
【００４２】
１０    エアコンプレッサ（気体圧発生源；研掃体駆動源）
２０    容器
２３ａ，２４ａ  作業孔
３０    ホッパ（貯留部）
３２    気泡発生部
４０    エアガン（噴射部）
５０    排出パイプ（排出部）
６０    収容袋（収容部）
７４ａ  作動スイッチ
１００  サンドブラスト装置（ブラスト装置；研掃装置）
Ｐ      研磨材（粉粒体；研掃体；ブラスト体）
Ｗ      ワーク（被処理物）
【図１】
2005066724.tif 000003
【図２】
2005066724.tif 000004
【図３】
2005066724.tif 000005
【図４】
2005066724.tif 000006
【図５】
2005066724.tif 000007
【図６】
2005066724.tif 000008
【手続補正書】
【提出日】平成15年12月3日(2003.12.3)
【手続補正１】
【補正対象書類名】特許請求の範囲
【補正対象項目名】全文
【補正方法】変更
【補正の内容】
【特許請求の範囲】
【請求項１】
研掃体としての粉粒体を貯留するための貯留部と、粉粒体に所定のエネルギーを付与するための研掃体駆動源としての気体圧発生源と、エネルギー付与された粉粒体を密閉状の容器内において被処理物の主表面に噴射させ衝突させるための噴射部と、噴射された粉粒体を前記容器外に吸引し排出するための排出部と、その排出部から排出された粉粒体を収容するための収容部とを有し、前記容器内で被処理物の主表面を研掃処理するドライブラスト装置であって、
前記気体圧発生源で発生した気体が２つの系統に分岐され、
そのうちの一方の系統では、前記噴射部から流出する際に生ずる負圧により吸引した粉粒体を加速して、被処理物の主表面に噴射・衝突させた後前記貯留部に回収・再利用させるための圧送気体として流通し、
他方の系統では、前記排出部を通過する際に生ずる負圧により前記容器内を大気圧以下に維持し、被処理物の主表面を研掃処理後に前記容器内に浮遊する粉粒体を主表面から剥離除去された浮遊塵埃とともに前記排出部から前記容器外に吸引・排出させ、前記収容部に収容するための吸引気体として流通し、
前記容器は、角筒状を呈し、隣接する２つの側面に作業者が左右の腕又は手を挿入するための作業孔をそれぞれ有し、
それら作業孔の少なくともいずれかに隣接して、作業者の腕又は手の挿入によって切換弁をＯＮ・ＯＦＦ操作するための作動スイッチが設置されるとともに、その切換弁は前記２つの系統の分岐点よりも上流側に配置され、
前記作動スイッチは、作業者の腕又は手が前記作業孔から前記容器内に挿入されたときに前記切換弁をＯＮ操作して、前記噴射部による粉粒体の加速と前記排出部による粉粒体の吸引・排出とを同時に作動させる一方、作業者の腕又は手が前記作業孔から抜き出されたときに前記切換弁をＯＦＦ操作して、それらを同時に作動停止させ、
さらに、前記貯留部には、その貯留部に堆積する粉粒体のブリッジ現象を防止するために、前記気体圧発生源で発生した気体を前記噴射部による粉粒体の吸引部近傍に導入して気泡を発生させる気泡発生部が設けられ、
その気泡発生部は、前記２つの系統の分岐点及び前記切換弁よりも上流側で前記気体圧発生源に接続され、前記切換弁がＯＦＦ操作されているときでも作動可能であることを特徴とするドライブラスト装置。
【請求項２】
前記作業孔の少なくともいずれかは、その属する側面の左右幅方向中央位置よりも他の隣接する側面から遠ざかる方向に偏って位置している請求項１に記載のドライブラスト装置。
【手続補正３】
【補正対象書類名】明細書
【補正対象項目名】０００１
【補正方法】変更
【補正の内容】
【０００１】
本発明は、ガラス彫刻のためのサンドブラスト処理等に用いられるドライブラスト装置に関する。
【手続補正４】
【補正対象書類名】明細書
【補正対象項目名】０００６
【補正方法】変更
【補正の内容】
【０００６】
本発明の課題は、装置の小型軽量化を図り、作業環境、電力消費等を改善することにより、比較的小規模な事業所等でも用いることのできるドライブラスト装置を提供することにある。
【手続補正５】
【補正対象書類名】明細書
【補正対象項目名】０００７
【補正方法】変更
【補正の内容】
【０００７】
ところで、ドライ方式にもウェット方式にも適用できるブラスト装置として、
研磨材等の研掃体に所定のエネルギーを付与するための研掃体駆動源と、エネルギー付与された研掃体を密閉状の容器内において被処理物の主表面に噴射させ衝突させるための噴射部と、噴射された研掃体を前記容器外に吸引し排出するための排出部とを有し、前記容器内で被処理物の主表面を研掃処理するブラスト装置であって、
前記研掃体駆動源で発生した流体が２つの系統に分岐され、
そのうちの一方の系統では、前記噴射部から流出する際に生ずる負圧により吸引した研掃体を加速して、被処理物の主表面に噴射・衝突させるための圧送流体として流通し、
他方の系統では、前記排出部を通過する際に生ずる負圧により前記容器内を大気圧以下に維持し、被処理物の主表面を研掃処理後に前記容器内に浮遊する研掃体を主表面から剥離除去された浮遊塵埃とともに前記排出部から前記容器外に吸引・排出させるための吸引流体として流通することができる。
【手続補正６】
【補正対象書類名】明細書
【補正対象項目名】０００８
【補正方法】削除
【補正の内容】
【手続補正７】
【補正対象書類名】明細書
【補正対象項目名】００１６
【補正方法】変更
【補正の内容】
【００１６】
そこで、上記課題を解決するために本発明に係るドライブラスト装置は、
研掃体としての粉粒体を貯留するための貯留部と、粉粒体に所定のエネルギーを付与するための研掃体駆動源としての気体圧発生源と、エネルギー付与された粉粒体を密閉状の容器内において被処理物の主表面に噴射させ衝突させるための噴射部と、噴射された粉粒体を前記容器外に吸引し排出するための排出部と、その排出部から排出された粉粒体を収容するための収容部とを有し、前記容器内で被処理物の主表面を研掃処理するブラスト装置であって、
前記気体圧発生源で発生した気体が２つの系統に分岐され、
そのうちの一方の系統では、前記噴射部から流出する際に生ずる負圧により吸引した粉粒体を加速して、被処理物の主表面に噴射・衝突させた後前記貯留部に回収・再利用させるための圧送気体として流通し、
他方の系統では、前記排出部を通過する際に生ずる負圧により前記容器内を大気圧以下に維持し、被処理物の主表面を研掃処理後に前記容器内に浮遊する粉粒体を主表面から剥離除去された浮遊塵埃とともに前記排出部から前記容器外に吸引・排出させ、前記収容部に収容するための吸引気体として流通し、
前記容器は、角筒状を呈し、隣接する２つの側面に作業者が左右の腕又は手を挿入するための作業孔をそれぞれ有し、
それら作業孔の少なくともいずれかに隣接して、作業者の腕又は手の挿入によって切換弁をＯＮ・ＯＦＦ操作するための作動スイッチが設置されるとともに、その切換弁は前記２つの系統の分岐点よりも上流側に配置され、
前記作動スイッチは、作業者の腕又は手が前記作業孔から前記容器内に挿入されたときに前記切換弁をＯＮ操作して、前記噴射部による粉粒体の加速と前記排出部による粉粒体の吸引・排出とを同時に作動させる一方、作業者の腕又は手が前記作業孔から抜き出されたときに前記切換弁をＯＦＦ操作して、それらを同時に作動停止させ、
さらに、前記貯留部には、その貯留部に堆積する粉粒体のブリッジ現象を防止するために、前記気体圧発生源で発生した気体を導入して気泡を発生させる気泡発生部が設けられ、
その気泡発生部は、前記２つの系統の分岐点及び前記切換弁よりも上流側で前記気体圧発生源に接続され、前記切換弁がＯＦＦ操作されているときでも作動可能であることを特徴とする。
【手続補正８】
【補正対象書類名】明細書
【補正対象項目名】００１７
【補正方法】削除
【補正の内容】